(57)【要約】      （修正有）【課題】建築・土木における山止工事で、地中に芯材(応力負担材)として挿入されるＨ形鋼材の整列保管を容易にかつ安全に行えるようにした鋼材仮置き用ホルダーを提供する。【解決手段】一方向に敷設された受け梁１と、当該受け梁１の軸直角方向に敷設され、当該受け梁１に接合された複数の支持梁２と、前記受け梁１の軸方向に所定間隔おきに立設され、前記受け梁１に接合された複数の転倒防止用束３と、前記受け梁１と支持梁２どうしおよび前記受け梁１と転倒防止用束３どうしをそれぞれ接合する複数の万力型締付け金物とから構成する。支持梁２は受け梁１の軸方向の両端部にそれぞれ敷設する。受け梁１、支持梁２および転倒防止用束３はＨ形鋼から形成する。【選択図】図１
0003144722.tif 000002
【実用新案登録請求の範囲】
【請求項１】
受け梁と、当該受け梁のほぼ軸直角方向に敷設され、当該受け梁に接合された複数の支持梁と、前記受け梁の軸方向に所定間隔おきに立設され、前記受け梁に接合された複数の転倒防止用束と、前記受け梁と支持梁どうしおよび前記受け梁と前記転倒防止用束どうしをそれぞれ接合する複数の万力型締付け金物とから構成されてなることを特徴とする鋼材仮置き用ホルダー。
【請求項２】
支持梁は受け梁の軸方向の両端部にそれぞれ敷設されてなることを特徴とする請求項１記載の鋼材仮置き用ホルダー。
【請求項３】
受け梁、支持梁および転倒防止用束はＨ形鋼から形成されてなることを特徴とする請求項１または２記載の鋼材仮置き用ホルダー。
【考案の詳細な説明】
【背景技術】
【０００１】
本考案は、主として建築・土木における山止工事で、地中に芯材(応力負担材)として挿入されるＨ形鋼材を現地敷地内の仮置き場に仮置きするための鋼材仮置き用ホルダーに関し、Ｈ形鋼材を仮置き場に仮置きする際にＨ形鋼材の転倒(横倒れ)等を防止してＨ形鋼材の整列保管を容易にかつ安全に行えるようにしたものである。
【０００２】
例えば、削孔用オーガーを用いて現地削孔土砂と固化材とを撹拌混合した後、削孔内に芯材を挿入して地中に連続したソイルセメント柱列壁を造成する際、ソイルセメント柱列壁の芯材にＨ形鋼材が一般に用いられる。                       
【０００３】
従来、上記したＨ形鋼材は、現地敷地内の仮置き場に枕木や端太角などからなるりん木を敷設し、その上に仮置きされていた。また、成(断面の高さ)の大きいＨ形鋼材(細幅系Ｈ形鋼等)は転倒しやすいため、仮置き場を整地し、その上にりん木を敷いて仮置きし、さらに各Ｈ形鋼材どうしを単管とクランプ等で緊結して転倒しないようにしていた。
【特許文献１】特開平１１−３３９２１号公報
【考案の開示】
【考案が解決しようとする課題】
【０００４】
しかし、上記した従来の仮置き形式では、Ｈ形鋼材が転倒しやすいことからＨ形鋼材を積み重ねて置くことができないため、仮置き場として広いスペースを必要とする等の課題があった。
【０００５】
また、成の大きいＨ形鋼材は、転倒しないように単管とクランプを用いて鋼材どうしを緊結する必要があるめため、着脱作業が煩雑となり、作業能率が低下する一因となっていた。さらに、りん木に高さの異なるものを利用すると、緊結用の単管の設置が困難になり、ある程度のレベル調整を行なう要があった。
【０００６】
本考案は、以上の課題を解決するためになされたもので、主としてＨ形鋼材を仮置き場に仮置きする際に、Ｈ形鋼材の転倒等を防止してＨ形鋼材の整列保管を容易にかつ安全に行えるようにした鋼材仮置き用ホルダーを提供することを目的とする。
【課題を解決するための手段】
【０００７】
請求項１記載の鋼材仮置き用ホルダーは、受け梁と、当該受け梁の軸直角方向に敷設され、当該受け梁に接合された複数の支持梁と、前記受け梁の軸方向に所定間隔おきに立設され、前記受け梁に接合された複数の転倒防止用束と、前記受け梁と支持梁どうしおよび前記受け梁と前記転倒防止用束どうしをそれぞれ接合する複数の万力型締付け金物とから構成されてなることを特徴とするものである。
【０００８】
本考案は、特に成(断面の高さ)の大きいＨ形鋼材を転倒しないように仮置きできて、Ｈ形鋼材の整列保管を容易にかつ安全に行えるようにしたものである。
【０００９】
また、受け梁と支持梁どうしおよび受け梁と転倒防止用束どうしの接合に万力型締付け金物を利用することにより、現地における組立てと分解を容易に行なえるようにしたものであり、例えば仮置き場に少々の不陸がある場合でも、支持梁に対して受け梁の接合位置を調整する等の措置により受け梁を水平に敷設することができる。
【００１０】
また、仮置きするＨ形鋼材の大きさ(径)に応じて転倒防止用束の立て付ける位置を容易に調整することができる等のメリットもある。なお、受け梁、支持梁および転倒防止用束にはＨ形鋼を用いることができ、受け梁はＨ形鋼を起した状態に敷設し、支持梁は横倒れの状態に敷設することにより、受け梁の上にＨ形鋼材を安定した状態で仮置きすることができる。また、万力型締付け金物にブルマン等を用いることができる。
【００１１】
請求項２記載の鋼材仮置き用ホルダーは、請求項１記載の鋼材仮置き用ホルダーにおいて、支持梁は受け梁の軸方向の両端部にそれぞれ敷設されてなることを特徴とするものである。支持梁は受け梁の少なくとも軸方向の両端部に敷設し、必要に応じて中間部にも敷設することにより安定性を高めることができる。
【００１２】
請求項３記載の鋼材仮置き用ホルダーは、請求項１または２記載の鋼材仮置き用ホルダーにおいて、受け梁、支持梁および転倒防止用束はＨ形鋼から形成されてなることを特徴とするものである。利用する鋼材をＨ形鋼に統一することにより現地調達が容易になる等のメリットがある。
【考案の効果】
【００１３】
本考案は、Ｈ形鋼材を受け梁の上に仮置きし、その両側からＨ形鋼材を転倒防止用束によって保持するように構成されているので、Ｈ形鋼材の転倒を防止してＨ形鋼材の整列保管を容易にかつ安全に行うことができる。
【００１４】
また、転倒防止用束を高くすることでＨ形鋼材の重ね置きも可能になり、これにより現地敷地内の仮置き場のスペースを最小限とすることができる。
【００１５】
受け梁と支持梁どうしおよび受け梁と転倒防止用束どうしの接合に万力型締付け金物が用いられているので、現地における組立てと分解が容易になり保管や運搬等も容易になる。
【００１６】
また、受け梁と支持梁との接合は同一平面内でなくても可能なため、現地敷地内の仮置き場に少々の不陸があっても受け梁を水平に敷設することができる。さらに、受け梁、支持梁および転倒防止用束として角材や端太材を使用する代わりにすべてＨ形鋼などの鋼材を利用するので、長期にわたる繰り返しの利用に耐え、また地球環境問題にも貢献し、実用性が大きい。
【考案を実施するための最良の形態】
【００１７】
図１−図３は本考案の一実施形態を示し、図において、鋼材仮置き用ホルダーは、一方向に敷設された受け梁１と、当該受け梁１の軸方向の両端部にそれぞれ敷設された支持梁２，２と、受け梁１の上に受け梁１の軸方向に等間隔おきに立設された複数の転倒防止用束３と、受け梁１と支持梁２どうし、および受け梁１と各転倒防止用束３どうしをそれぞれ接合する複数の万力型締付け金物４とから構成されている。
【００１８】
受け梁１はＨ形鋼材Ａを仮置きするための受け部材であり、Ｈ形鋼から形成され、当該Ｈ形鋼は起した状態で敷設されている。また、当該Ｈ形鋼の軸方向の両端部にエンドプレート５がそれぞれ取り付けられている。
【００１９】
支持梁２は受け梁１を転倒(横倒れ)しないように支持するための支持部材であり、Ｈ形鋼から形成され、当該Ｈ形鋼は横倒しの状態で受け梁１の軸直角方向に敷設されている。
【００２０】
なお、受け梁１が少々長いとき等は、必要に応じて受け梁１の中間部にも支持梁２が敷設されている。その際の支持梁２は受け梁１の両側に片持ち梁状に敷設される。
【００２１】
転倒防止用束３は受け梁１の上に仮置きされたＨ形鋼材Ａを転倒しないように両側から保持するための保持部材であり、Ｈ形鋼材から形成され、下端部にベースプレート６が取り付けられ、かつ受け梁１の軸方向に等間隔おきに立設されている。
【００２２】
なお、転倒防止用束３の上端部には上端方向に徐々に先細りとなるようなテーパ３ａが設けられ、受け梁１の上にＨ形鋼材Ａを仮置き摺る際、転倒防止用束３，３間をスムーズにＨ形鋼材Ａを出し入れできるようにされている。
【００２３】
万力型締付け金物４にはブルマン等が用いられ、受け梁１と支持梁２との接合部にはエンドプレート５と支持梁２のフランジ２ａを強く挟み込むように取り付けられ、また、受け梁１と各転倒防止用束３との接合部には、受け梁１のフランジ１ａとベースプレート６を強く挟み込むように取り付けられている。  
【００２４】
なお、各転倒防止用束３の設置間隔は、受け梁１の上に仮置きされるＨ形鋼材Ａの横幅(径)に応じて任意に調整することができる。
【００２５】
このような構成において、鋼材仮置き用ホルダーを利用してＨ形鋼材Ａを仮置きするには、現地敷地内の仮置き場にＨ形鋼材Ａの長さに応じてＨ形鋼材Ａの軸方向の二箇所ないし三箇所に鋼材仮置き用ホルダーを組み立てて設置する。
【００２６】
そり際、仮置き場に不陸があるときは、支持梁２，２に対して受け梁１の接合する位置を上下方向に適当に移動することにより受け梁１を水平に敷設する。
【００２７】
また、Ｈ形鋼材Ａの横幅に応じて転倒防止用束３，３間の間隔を調整する。こうして、鋼材仮置き用ホルダーの組立てと設置が完了したら、受け梁１の各転倒防止用束３，３間の上にＨ形鋼材Ａを仮置きする。その際、各転倒防止用束３の上端部に上端方向に徐々に先細りとなるようなテーパ３ａ，３ａが設けられていることで、転倒防止用束材３，３間にＨ形鋼材Ａをスムーズに落とし込むことができる。
【産業上の利用可能性】
【００２８】
本考案は、主として建築・土木における山止工事で、地中に芯材(応力負担材)として挿入されるＨ形鋼材の整列保管を容易にかつ安全に行うことができる。
【図面の簡単な説明】
【００２９】
【図１】鋼材仮置き用ホルダーの一例を示し、（ａ）は平面図、（ｂ）は正面図、（ｃ）は側面図である。
【図２】（ａ）は、図１（ａ）におけるイ部拡大図、（ｂ）は図１（ａ）におけるロ−ロ線拡大断面図である。
【図３】（ａ）は、図１（ａ）におけるハ部拡大図、（ｂ）は図１（ａ）におけるニ−ニ線断面図である。
【符号の説明】
【００３０】
１  受け梁
２  支持梁
３  転倒防止用束
４  万力型締付け金物
５  エンドプレート
６  ベースプレート
Ａ  Ｈ形鋼材
【図１】
0003144722.tif 000003
【図２】
0003144722.tif 000004
【図３】
0003144722.tif 000005